(57)【要約】【課題】  ＬＣＤ表示部の表示範囲を超える文字数の表示情報の全文を表示可能にして、必要な情報を使用者に正しく伝達するＬＣＤ表示器を提供する。【解決手段】  所定数のセグメントから成るＬＣＤ表示部２０と、このＬＣＤ表示部２０を駆動する駆動部３０と、この駆動部３０を制御してＬＣＤ表示部２０に上記表示情報を表示させる制御部４０と、ＬＣＤ表示部２０に表示された表示情報を選択するための操作部５０とを備えたＬＣＤ表示器１０において、上記制御部４０が、通常時には、表示情報を省略形でＬＣＤ表示部２０に表示させ、操作部５０の操作による表示情報の選択時には、当該表示情報の全文形をＬＣＤ表示部２０に表示させ、全文形表示された表示情報がＬＣＤ表示部２０の表示範囲を超えるときには、その表示情報をスクロール表示させる。【選択図】  図１
2006126503.tif 000002
【特許請求の範囲】
【請求項１】
所定数のセグメントを有するＬＣＤ表示手段と、このＬＣＤ表示手段を駆動する駆動手段と、この駆動手段を制御して一又は二以上の表示情報を上記ＬＣＤ表示手段に表示させる制御手段と、上記ＬＣＤ表示手段に表示された上記一又は二以上の表示情報の一部又は全部を選択するための操作手段と、を備えたＬＣＤ表示器であって、
上記制御手段は、
通常時には、上記一又は二以上の表示情報の一部又は全部を省略形で上記ＬＣＤ表示手段に表示させ、
上記操作手段の操作にもとづく上記表示情報の選択時には、この選択された表示情報を全文形で上記ＬＣＤ表示手段に表示させ、
上記全文形で表示させる表示情報の文字列の長さが上記ＬＣＤ表示手段の表示範囲を超えるときには、当該表示情報をスクロール表示させる
ことを特徴とするＬＣＤ表示器。
【請求項２】
上記制御手段は、上記全文形で表示させる表示情報の文字列の長さが上記ＬＣＤ表示手段の表示範囲を超えるときには、上記操作手段の操作にもとづく上記表示情報の選択時から所定時間経過後に、当該表示情報をスクロール表示させる
ことを特徴とする請求項１に記載のＬＣＤ表示器。
【請求項３】
上記制御手段は、上記スクロール表示させる表示情報の前及び／又は後に識別符号を付加させる
ことを特徴とする請求項１又は２に記載のＬＣＤ表示器。
【請求項４】
上記制御手段は、上記表示情報をスクロール表示させるときに、当該表示情報の各文字を縦方向及び／又は横方向に所定倍数拡大して表示させる
ことを特徴とする請求項１〜３のいずれかに記載のＬＣＤ表示器。
【請求項５】
上記制御手段は、上記表示情報をスクロール表示させるときに、当該表示情報の全文を、上記ＬＣＤ表示手段の各セグメントの所定ドット分ずつ左方にずらしながらスクロール表示させる
ことを特徴とする請求項１〜４のいずれかに記載のＬＣＤ表示器。
【請求項６】
上記制御手段は、上記表示情報をスクロール表示させるときに、当該表示情報の全文を、上記ＬＣＤ表示手段の各セグメントの所定ドット分ずつ上方にずらしながらスクロール表示させる
ことを特徴とする請求項１〜５のいずれかに記載のＬＣＤ表示器。
【請求項７】
上記表示情報のスクロール方向を指定する方向キーを有し、
上記制御手段は、上記方向キーで指定された方向に基づいて、上記表示情報をスクロール表示する
ことを特徴とする請求項１〜４のいずれかに記載のＬＣＤ表示器。
【請求項８】
上記制御手段は、上記方向キーの操作時間が所定時間以内のとき、当該表示情報の全文を上記方向キーで指定された方向に一文字分だけスクロール表示する
ことを特徴とする請求項７に記載のＬＣＤ表示器。
【請求項９】
上記制御手段は、上記方向キーの操作時間が所定時間以上のとき、当該表示情報の全文を上記方向キーで指定された方向に連続的にスクロール表示する
ことを特徴とする請求項７又は８に記載のＬＣＤ表示器。
【発明の詳細な説明】
【技術分野】
【０００１】
本発明は、例えばコピー機，プリンタ，ファクシミリ装置等の事務機器を含む各種機器で使用されるＬＣＤ表示器に関する。
【背景技術】
【０００２】
コピー機，プリンタ，ファクシミリ装置等に代表される事務機器においては、エラーメッセージ等を含む各種情報を表示するために、表示器が搭載されている。この表示器には、例えば、液晶ディスプレイ（ＬＣＤ：Ｌｉｑｕｉｄ  Ｃｒｙｓｔａｌ  Ｄｉｓｐｌａｙ）などが用いられている。
このような表示器は、機器小型化および省スペースの観点から、またコスト低減のため、できるだけセグメントの少ないものが使用されており、表示可能な文字数に制限がある。
したがって、所定の情報を上記表示器により表示する場合には、一般的には、表示可能な文字数内に収まるように省略した表示を使用するようにしている。
【０００３】
一方、コピー機等に代表される画像形成装置に搭載された表示器の表示内容を制御する方法が、従来から種々提案されている。
例えば、表示内容に応じて文字サイズおよびレイアウトを変更して、表示器に表示するようにしたＬＣＤ表示手段を備えた画像形成装置が開示されている（例えば、特許文献１参照。）。
また、各種制御や指示に伴う動作時に、ＬＣＤの表示および照明をオフにするようにした操作装置が開示されている（例えば、特許文献２参照。）。
【特許文献１】特開２００４−１８０２７５号
【特許文献２】特開２００４−２４５９４９号
【発明の開示】
【発明が解決しようとする課題】
【０００４】
しかしながら、上述した表示器においては、以下のような問題がある。
即ち、セグメントの少ない表示器、例えば平均的な１６桁の表示器においては、特に障害表示や保守要求の情報を表示する場合、省略表示では、特に使用者が慣れていない場合には、使用者に対して正しく伝達することができない。
このため、使用者は説明書を参照して省略表示の意味を把握する必要があり、操作が煩雑になってしまう。
【０００５】
これに対して、特許文献１による操作装置においては、文字サイズを小さくすることにより、文字数の多い情報を表示することは可能であるが、上述したセグメント方式の例えばＬＣＤ表示器においては、文字サイズを変更することはできない。
また、特許文献２による操作装置においては、表示を必要としない場合に表示器をオフすることにより、省電力および表示器の延命を図るものであり、省略表示を行なうものではない。
【０００６】
本発明は、上記の問題を解決すべくなされたものであり、必要な情報を使用者に正しく伝達することが可能なＬＣＤ表示器の提供を目的とする。
【課題を解決するための手段】
【０００７】
この目的を達成するため、本発明の請求項１記載のＬＣＤ表示器は、所定数のセグメントを有するＬＣＤ表示手段と、このＬＣＤ表示手段を駆動する駆動手段と、この駆動手段を制御して一又は二以上の表示情報を上記ＬＣＤ表示手段に表示させる制御手段と、上記ＬＣＤ表示手段に表示された上記一又は二以上の表示情報の一部又は全部を選択するための操作手段と、を備えたＬＣＤ表示器であって、上記制御手段は、通常時には、上記一又は二以上の表示情報の一部又は全部を省略形で上記ＬＣＤ表示手段に表示させ、上記操作手段の操作にもとづく上記表示情報の選択時には、この選択された表示情報を全文形で上記ＬＣＤ表示手段に表示させ、上記全文形で表示させる表示情報の文字列の長さが上記ＬＣＤ表示手段の表示範囲を超えるときには、当該表示情報をスクロール表示させる構成としてある。
【０００８】
ＬＣＤ表示器をこのような構成とすると、ＬＣＤ表示手段に表示されている一又は二以上の表示情報（例えば、メニュー項目，障害表示，保守要求など）の中から、使用者が上記操作手段を操作して所定の表示情報を選択したときに、上記制御手段は、ＬＣＤ表示手段に当該表示情報の全文を表示させる。このため、使用者は、ＬＣＤ表示手段に表示された当該表示情報の全文表示を視認することによって、当該表示情報の内容を正確に把握することができる。
【０００９】
さらに、当該表示情報が全文表示されることによって、使用者は、従来の省略表示の場合のように説明書を参照する必要なしに、容易に当該表示情報の内容を把握することができ、特に当該表示情報が障害表示や保守要求等の比較的複雑な内容であっても、使用者に対して当該表示情報の意図が正しく伝達され得ることになる。
しかも、表示情報の文字列の長さがＬＣＤ表示器の表示範囲を超える場合はその表示情報がスクロール表示されるため、当該表示情報の全文を、少ないセグメント数のＬＣＤ表示手段によって表示することができる。これによっても、必要な情報を使用者に正しく伝達することができる。
【００１０】
一方、使用者が上記操作手段により当該表示情報を選択しない場合には、上記制御手段は、当該表示情報を省略形でＬＣＤ表示手段に表示する。これにより、使用者の習熟度が高いときには、全文表示が行なわれなくても、使用者は当該表示情報の省略表示でも当該表示情報の内容を正確に把握することができる。
【００１１】
また、請求項２記載のＬＣＤ表示器は、上記制御手段が、上記全文形で表示させる表示情報の文字列の長さが上記ＬＣＤ表示手段の表示範囲を超えるときには、上記操作手段の操作にもとづく上記表示情報の選択時から所定時間経過後に、当該表示情報をスクロール表示させる構成としてある。
ＬＣＤ表示器をこのような構成とすると、操作手段の操作により表示情報が選択された後、所定時間内は、当該表示情報の省略形が表示されているので、使用者は、続いて表示される当該表示情報の全文表示と比較することによって、当該表示情報の省略形と全文表示を関連付けて認識することができるので、使用者の習熟度が高くなってきたときには、使用者は当該表示情報を操作手段により選択しなくても、上記ＬＣＤ表示器に表示された省略形を視認することにより、当該表示情報の内容を正確に把握することができる。
【００１２】
また、請求項３記載のＬＣＤ表示器は、上記制御手段が、上記スクロール表示させる表示情報の前及び／又は後に識別符号を付加させる構成としてある。
ＬＣＤ表示器をこのような構成とすると、使用者は、上記ＬＣＤ表示器にスクロール表示される当該表示情報の全文の文頭および文末を容易に認識することができる。これにより、例えば当該表示情報の全文が繰返しスクロール表示される場合であっても、使用者が当該表示情報の文頭および文末を認識して、その全文を容易に把握することができる。
【００１３】
また、請求項４記載のＬＣＤ表示器は、上記制御手段が、上記表示情報をスクロール表示させるときに、当該表示情報の各文字を縦方向及び／又は横方向に所定倍数拡大して表示させる構成としてある。
ＬＣＤ表示器をこのような構成とすると、使用者は、上記ＬＣＤ表示器にスクロール表示される際に、所定倍の文字（例えば、４倍角文字）を視認することによって、これらの文字がスクロール表示により移動していても、各文字を容易に読み取ることができるので、当該表示情報の全文を容易に把握することができる。
【００１４】
また、請求項５記載のＬＣＤ表示器は、上記制御手段が、上記表示情報をスクロール表示させるときに、当該表示情報の全文を、上記ＬＣＤ表示手段の各セグメントの所定ドット分ずつ左方にずらしながらスクロール表示させる構成としてある。
ＬＣＤ表示器をこのような構成とすると、使用者は、上記ＬＣＤ表示器に所定ドット分ずつ（例えば、１ドット分ずつ）左方にずれて表示される当該表示情報の各文字を容易に読み取ることが可能であり、当該表示情報の全文を容易に視認することができる。
【００１５】
また、請求項６記載のＬＣＤ表示器は、上記制御手段が、上記表示情報をスクロール表示させるときに、当該表示情報の全文を、上記ＬＣＤ表示手段の各セグメントの所定ドット分ずつ上方にずらしながらスクロール表示させる構成としてある。
ＬＣＤ表示器をこのような構成とすると、使用者は、上記ＬＣＤ表示器に所定ドット分ずつ（例えば、１ドット分ずつ）上方にずれて表示される当該表示情報の各文字を容易に読み取ることが可能であり、当該表示情報の全文を容易に視認することができる。
【００１６】
また、請求項７記載のＬＣＤ表示器は、上記表示情報のスクロール方向を指定する方向キーを有し、上記制御手段は、上記方向キーで指定された方向に基づいて、上記表示情報をスクロール表示する構成としてある。
ＬＣＤ表示器をこのような構成とすると、使用者は、上記操作手段の方向キーを操作することによって、上記ＬＣＤ表示器に所望の方向にスクロール表示される当該表示情報の各文字を自分のペースで確実に読み取ることができると共に、読み返したいときには、逆方向の方向キーを操作することにより、逆方向にスクロールさせることも可能であり、当該表示情報の全文を容易にそして確実に視認することができる。
【００１７】
また、請求項８記載のＬＣＤ表示器は、上記制御手段が、上記方向キーの操作時間が所定時間以内のとき、当該表示情報の全文を上記方向キーで指定された方向に一文字分だけスクロール表示する構成としてある。
ＬＣＤ表示器をこのような構成とすると、使用者は、上記操作手段の方向キーを操作することによって、ゆっくり読み取りたいときには、上記方向キーを短く操作して、上記ＬＣＤ表示器に表示される当該表示情報の全文を一文字分づつスクロールさせることにより、当該表示情報の全文を容易にそして確実に視認することができる。
【００１８】
また、請求項９記載のＬＣＤ表示器は、上記制御手段が、上記方向キーの操作時間が所定時間以上のとき、当該表示情報の全文を上記方向キーで指定された方向に連続的にスクロール表示する構成としてある。
ＬＣＤ表示器をこのような構成とすると、使用者は、上記操作手段の方向キーを操作することによって、一気に読み取りたいときには、上記方向キーを短く操作して、上記ＬＣＤ表示器に表示される当該表示情報の全文を連続的に自動スクロールさせることにより、当該表示情報の全文を容易にそして確実に視認することができる。
【発明の効果】
【００１９】
このように、本発明によれば、所定の表示情報が使用者により選択されたとき、制御手段が、ＬＣＤ表示手段の表示可能文字数より多い文字数の当該表示情報の全文を、省略形ではなく、全文をスクロール表示することにより、使用者に対して表示情報の内容を正確に伝達することができる。
【発明を実施するための最良の形態】
【００２０】
以下、本発明のＬＣＤ表示器の好ましい実施形態について、図面を参照して説明する。
［実施形態１］
【００２１】
まず、本発明のＬＣＤ表示器の第一の実施形態について、図１を参照して説明する。
図１は、本実施形態のＬＣＤ表示器の主要構成を示すブロック図である。
図１に示すように、ＬＣＤ表示器１０は、ＬＣＤ表示部２０と、駆動部３０と、制御部４０と、操作部５０とを備えている。
【００２２】
上記ＬＣＤ表示部（ＬＣＤ表示手段）２０は、従来公知の任意好適なＬＣＤ表示部を用いることができ、所定数のセグメントにより、所定の文字，記号，図形，画像等を表示する。
このＬＣＤ表示部２０は、具体的には、例えば２１桁のセグメントを有することができ、文字や記号等を表示するための実際のセグメント数（表示範囲）は、例えば１６桁とすることができる。
【００２３】
なお、図３等においては、上記ＬＣＤ表示部２０は、各セグメントが上下方向に関して５段の文字表示を行なうことができるようになっている。
ここで、上記ＬＣＤ表示部２０は、各セグメントにて所謂ドットマトリックス表示により文字を表示することができるようになっている。
さらに、上記ＬＣＤ表示部２０は、縦横方向にそれぞれ所定倍数の文字（例えば、二倍×二倍の所謂４倍角文字）などを表示することができるようになっている。
【００２４】
上記駆動部（駆動手段）３０は、従来公知の任意好適な駆動部を用いることができ、上記ＬＣＤ表示部２０の駆動することにより、各セグメントに任意の文字や記号等を表示することができるようになっている。
【００２５】
上記制御部（制御手段）４０は、外部、例えばコピー機，プリンタ，ファクシミリ装置等の各種機器の制御手段（図示せず）から当該各種機器の動作状態等や各種設定項目，障害表示，保守要求等を含む機能情報を取得する。そして、上記駆動部３０を駆動制御して、上記ＬＣＤ表示部２０の各セグメントにより上記機能情報の内容を示す表示情報を、省略形または全文形により表示するようになっている。
その際、上記制御部４０は、通常は上記表示情報の省略形を表示すると共に、後述する操作部５０にて使用者の操作により明示的に選択されたとき、上記操作部５０からの選択情報に基づいて、所定時間（例えば数秒）経過後に、当該表示情報の全文表示を行なうようになっている。
【００２６】
なお、表示情報の省略形（省略表示）と全文形（全文表示）とは、それぞれ関連付けられて記憶手段（図示せず）に記憶されている。すなわち、記憶手段は、各表示情報ごとに省略形と全文形とを対応付けた表示形態テーブルを記憶している。
例えば、表示情報が「コピー露出補正」であって、省略形が「Ｃｏｐｙ  Ｅｘｐ．  Ａｄｊ」、全文形が「Ｃｏｐｙ  Ｅｘｐｏｓｕｒｅ  Ａｄｊｕｓｔｍｅｎｔ」である場合、これらが表示形態テーブルにおいて互いに対応付けられて記憶手段に記憶される。
【００２７】
そして、制御部４０は、ＬＣＤ表示部２０に表示情報「コピー露出補正」について表示させる場合、通常時は、省略形である「Ｃｏｐｙ  Ｅｘｐ．  Ａｄｊ」を記憶手段から取り出し駆動部３０を制御してＬＣＤ表示部２０に表示させる。一方、操作部５０により「Ｃｏｐｙ  Ｅｘｐ．  Ａｄｊ」が選択された場合には、記憶手段から全文形である「Ｃｏｐｙ  Ｅｘｐｏｓｕｒｅ  Ａｄｊｕｓｔｍｅｎｔ」を取り出し駆動部３０を制御してＬＣＤ表示部２０に表示させる。
【００２８】
また、上記制御部４０は、当該表示情報の全文表示を行なう際、当該表示情報の全文の文字数が、上記ＬＣＤ表示部２０のセグメント数（１６桁）と同じか少ない場合には、当該表示情報の全文をそのまま通常表示すると共に、当該表示情報の全文の文字数が上述したセグメント数より多い場合には、当該表示情報の全文の文頭および文末に識別符号、例えば「＊」を付加して、駆動部３０を駆動制御することにより、上記ＬＣＤ表示部２０にスクロール表示させるようになっている。
【００２９】
上記操作部（操作手段）５０は、例えば上記ＬＣＤ表示部２０に隣接して配置されており、その操作キーを使用者が操作することによって、上記ＬＣＤ表示部２０に省略形で表示されている表示情報を選択することができる。
なお、操作部５０は、ＬＣＤ表示部２０とは別の構成とすることができ、また、ＬＣＤ表示部２０と一体型の構成とすることができる。ＬＣＤ表示部２０と一体型の構成としては、例えば、タッチパネルなどがある。
【００３０】
次に、本実施形態のＬＣＤ表示器１０の動作について、図２を参照して説明する。
図２は、ＬＣＤ表示器１０の表示情報の表示動作を示すフローチャートである。
図２において、まず符号Ａ１で示すように、各種機器の静的状態において、各種機器から制御部４０に表示情報が入力されると、制御部４０は、符号Ａ２で示すように、当該表示情報の省略形を駆動部３０により上記ＬＣＤ表示部２０に表示する。
【００３１】
その際、図３（Ａ）に示すように、例えば露出に関する項目に関して、三つの調整項目、即ち第一の項目としてＣｏｐｙ  Ｅｘｐ．  Ａｄｊ（コピー露出補正），第二の項目としてＳｃａｎ  Ｎｏｉｓｅ  Ｒｅｄｕｃ（スキャンノイズリダクション），第三の項目としてＬＣＤ  Ｃｏｎｔｒａｓｔ（ＬＣＤコントラスト）が表示される。
【００３２】
尚、この場合、第一の項目に、カーソルが合わせられており、文頭に識別符号「＊」が付加されている。
そして、このカーソルは、操作部５０のカーソルキーを使用して上下方向に移動され得るようになっており、このカーソルの移動に伴って、上記識別符号「＊」も移動する。
【００３３】
ここで、符号Ａ３で示すように、使用者が操作部５０の操作キーによりカーソルが合わせられている第一の項目を選択すると、制御手段５０は、符号Ａ４で示すように、この第一の項目を図３（Ｂ）で示すように反転表示させると共に、表示情報の項目を二段表示する。これにより、第三の項目の表示が中止されることになる。
【００３４】
そして、制御部４０は、所定時間経過後に、符号Ａ５で示すように、この第一の項目を全文表示に切換えて、例えば「＊Ｃｏｐｙ  Ｅｘｐｏｓｕｒｅ  Ａｄｊｕｓｔｍｅｎｔ＊」を表示する。
その際、全文表示の文字数がＬＣＤ表示部２０の１６桁を越えているので、制御部４０は、図３（Ｃ）に示すように全体表示の前部のみを表示し、さらに図３（Ｄ）〜図３（Ｇ）に示すように、スクロール表示した後再び符号Ａ６で示すように、この第一の項目の省略形（図３（Ｂ）参照）を表示する。
以上で、本ＬＣＤ表示器１０による表示情報の全文表示の横スクロール処理が完了する。
［実施形態２］
【００３５】
次に、本発明のＬＣＤ表示器の第二の実施形態について、図４、図５を参照して説明する。
図４および図５は、本発明によるＬＣＤ表示器の第二の実施形態における表示情報のスクロール状態および動作を示している。
この第二の実施形態において、ＬＣＤ表示器は、図１に示した第一の実施形態によるＬＣＤ表示器と同じ構成であり、制御部４０が、選択された表示情報の全文表示を行なう際に、図４に順次に示すように、縦方向にスクロール表示する点でのみ異なる構成になっている。
【００３６】
次に、この第二の実施形態のＬＣＤ表示器の動作について、図５を参照して説明する。
図５は、第二の実施形態によるＬＣＤ表示器の表示情報の表示動作を示すフローチャートである。
まず符号Ｂ１で示すように、各種機器から制御部４０に表示情報が入力されると、制御部４０は、符号Ｂ２で示すように、当該表示情報の省略形を駆動部３０により上記ＬＣＤ表示部２０に表示する。
【００３７】
その際、図４（Ａ）に示すように、例えば露出に関する項目に関して、二つの調整項目、即ち第一の項目としてＣｏｐｙ  Ｅｘｐ．  Ａｄｊ（コピー露出補正），第二の項目としてＳｃａｎ  Ｎｏｉｓｅ  Ｒｅｄｕｃ（スキャンノイズリダクション）が表示される。
尚、この場合、第一の項目に、カーソルが合わせられており、文頭に識別符号「＊」が付加されている。
そして、このカーソルは、操作部５０のカーソルキーを使用して上下方向に移動され得るようになっており、このカーソルの移動に伴って、上記識別符号「＊」も移動する。
【００３８】
ここで、符号Ｂ３で示すように、使用者が操作部５０の操作キーによりカーソルが合わせられている第一の項目を選択すると、制御手段５０は、符号Ｂ４で示すように、この第一の項目を図４（Ｂ）で示すように反転表示させると共に、所定時間経過後に、符号Ｂ５で示すように、この第一の項目を全文表示に切換えて、例えば「＊Ｃｏｐｙ  Ｅｘｐｏｓｕｒｅ  Ａｄｊｕｓｔｍｅｎｔ＊」を表示する。
その際、全文表示の文字数がＬＣＤ表示部２０の１６桁を越えているので、制御部４０は、図４（Ｃ）に示すように全体表示の前部の単語「＊Ｃｏｐｙ  Ｅｘｐｏｓｕｒｅ」を表示し、次の単語「Ａｄｊｕｓｔｍｅｎｔ＊」を改行するが、改行後の二行目以降は表示されない。
【００３９】
そして、制御部４０は、さらに図４（Ｄ）〜図４（Ｇ）に示すように、スクロール表示して、二行目を表示した後、再び符号Ｂ６で示すように、この第一の項目の省略形（図４（Ｂ）参照）を表示する。
以上で、本ＬＣＤ表示器による表示情報の全文表示の縦スクロール処理が完了する。
［実施形態３］
【００４０】
次に、本発明のＬＣＤ表示器の第三の実施形態について、図６、図７を参照して説明する。
図６および図７は、本発明によるＬＣＤ表示器の第三の実施形態における表示情報のスクロール状態および動作を示している。
この第三の実施形態において、ＬＣＤ表示器は、図１に示した第一の実施形態によるＬＣＤ表示器と同じ構成であり、さらに操作部５０が図６に示すようにＬＣＤ表示部２０に隣接して方向キー５１，５２を備えており、制御部４０が、選択された表示情報の全文表示を行なう際に、この方向キー５１，５２の操作にしたがって、横方向にスクロール表示する点でのみ異なる構成になっている。
ここで、上記制御部４０は、上記方向キー５１，５２の所定時間以内の操作の際には、駆動部３０により、図６に順次に示すように、上記ＬＣＤ表示部２０における当該表示情報の全文表示を一文字分だけ左方または右方に移動させて表示するようになっている。
【００４１】
次に、この第三の実施形態のＬＣＤ表示器の動作について、図７を参照して説明する。
図７は、第三の実施形態によるＬＣＤ表示器の表示情報の表示動作を示すフローチャートである。
まず符号Ｃ１で示すように、各種機器から制御部４０に表示情報が入力されると、制御部４０は、符号Ｃ２で示すように、当該表示情報の省略形を駆動部３０により上記ＬＣＤ表示部２０に表示する。
【００４２】
その際、図６（Ａ）に示すように、例えば露出に関する項目に関して、二つの調整項目、即ち第一の項目としてＣｏｐｙ  Ｅｘｐ．  Ａｄｊ（コピー露出補正），第二の項目としてＳｃａｎ  Ｎｏｉｓｅ  Ｒｅｄｕｃ（スキャンノイズリダクション）が表示される。
尚、この場合、第一の項目に、カーソルが合わせられており、文頭に識別符号「＊」が付加されている。
そして、このカーソルは、操作部５０のカーソルキーを使用して上下方向に移動され得るようになっており、このカーソルの移動に伴って、上記識別符号「＊」も移動する。
【００４３】
ここで、符号Ｃ３で示すように、使用者が操作部５０の操作キーによりカーソルが合わせられている第一の項目を選択すると、制御手段５０は、符号Ｃ４で示すように、この第一の項目を図５（Ｂ）で示すように反転表示させると共に、所定時間経過後に、符号Ｃ５で示すように、この第一の項目を全文表示に切換えて、例えば「＊Ｃｏｐｙ  Ｅｘｐｏｓｕｒｅ  Ａｄｊｕｓｔｍｅｎｔ＊」を表示する。
その際、全文表示の文字数がＬＣＤ表示部２０の１６桁を越えているので、制御部４０は、図６（Ｃ）に示すように全体表示の前部の単語「＊Ｃｏｐｙ  Ｅｘｐｏｓｕｒｅ」を表示し、次の単語「Ａｄｊｕｓｔｍｅｎｔ＊」を改行するが、改行後の二行目以降は表示されない。
【００４４】
そして、制御部４０は、符号Ｃ６に示すように、使用者が操作部５０の方向キー５１または５２を所定時間以下の間操作することにより、図６（Ｃ）〜図６（Ｅ）に示すように、方向キー５１が操作されたときには、当該表示情報の全文表示を一文字分づつ左方に移動させ、また方向キー５２が操作されたときには、当該表示情報の全文表示を一文字分づつ右方に移動させて、符号Ｃ７に示すように、スクロール表示する。
尚、図６（Ｃ）に示す当該表示情報の全文表示の状態から、使用者が操作部５０の例えば方向キー５１を所定時間を越えて操作すると、上記制御部４０は、図１に示したＬＣＤ表示器１０の場合と同様に、当該表示情報の全文表示を自動的に左方に一ドット分づつ移動させて、スクロール表示するようになっている。
以上で、本ＬＣＤ表示器による表示情報の全文表示の縦スクロール処理が完了する。
［実施形態４］
【００４５】
次に、本発明のＬＣＤ表示器の第四の実施形態について、図８、図９を参照して説明する。
図８および図９は、本発明によるＬＣＤ表示器の第四の実施形態における表示情報のスクロール状態および動作を示している。
この第四の実施形態において、ＬＣＤ表示器は、図１に示した第一の実施形態によるＬＣＤ表示器１０と同じ構成であり、制御部４０が、選択された表示情報の全文表示を行なう際に、図８に順次に示すように、所謂４倍角文字で横方向にスクロール表示する点でのみ異なる構成になっている。
【００４６】
次に、この第四の実施形態のＬＣＤ表示器の動作について、図９を参照して説明する。
図９は、第四の実施形態によるＬＣＤ表示器の表示情報の表示動作を示すフローチャートである。
まず符号Ｄ１で示すように、各種機器から制御部４０に表示情報が入力されると、制御部４０は、符号Ｄ２で示すように、当該表示情報の省略形を駆動部３０により上記ＬＣＤ表示部２０に表示する。
【００４７】
その際、図８（Ａ）に示すように、例えば露出に関する項目に関して、三つの調整項目、即ち第一の項目としてＣｏｐｙ  Ｅｘｐ．  Ａｄｊ（コピー露出補正），第二の項目としてＳｃａｎ  Ｎｏｉｓｅ  Ｒｅｄｕｃ（スキャンノイズリダクション），第三の項目としてＬＣＤ  Ｃｏｎｔｒａｓｔ（ＬＣＤコントラスト）が表示される。
尚、この場合、第一の項目に、カーソルが合わせられており、文頭に識別符号「＊」が付加されている。
そして、このカーソルは、操作部５０のカーソルキーを使用して上下方向に移動され得るようになっており、このカーソルの移動に伴って、上記識別符号「＊」も移動する。
【００４８】
ここで、符号Ｄ３で示すように、使用者が操作部５０の操作キーによりカーソルが合わせられている第一の項目を選択すると、制御手段５０は、符号Ｄ４で示すように、この第一の項目を図８（Ｂ）で示すように反転表示させると共に、所定時間経過後に、符号Ｄ５で示すように、この第一の項目を４倍角文字による全文表示に切換えて、例えば「＊Ｃｏｐｙ  Ｅｘｐｏｓｕｒｅ  Ａｄｊｕｓｔｍｅｎｔ＊」を表示する。
【００４９】
その際、全文表示の文字数がＬＣＤ表示部２０の１６桁を越えているので、制御部４０は、図８（Ｃ）に示すように全体表示の前部「＊Ｃｏｐｙ  Ｅｘ」のみを表示する。
そして、制御部４０は、さらに図８（Ｄ）〜図８（Ｇ）に示すように、スクロール表示した後、再び符号Ｄ６で示すように、この第一の項目の省略形（図８（Ｂ）参照）を表示する。
以上で、本ＬＣＤ表示器による表示情報の全文表示の４倍角文字による横スクロール処理が完了する。
【００５０】
以上、本発明のＬＣＤ表示器について、好ましい実施形態を示して説明したが、本発明に係るＬＣＤ表示器は、上述した実施形態にのみ限定されるものではなく、本発明の範囲で種々の変更実施が可能であることは言うまでもない。
例えば、上述した各実施形態においては、ＬＣＤ表示部２０は、表示情報を表示するための表示領域として１６個のセグメントにより１６桁表示を行なうようになっているが、これに限らず、他のセグメント数の表示領域を備えていてもよいことは明らかである。
また、上述した各実施形態においては、表示情報が選択されたとき、反転表示されるようになっているが、これに限らず、カラー表示で表示色を変更したり、あるいは表示変更なしとすることも可能である。
【００５１】
さらに、上述した各実施形態においては、制御部４０は、選択された当該表示情報の全文表示の際に、スクロール表示するようになっているが、全文表示の文字数がＬＣＤ表示部２０の表示可能桁数である１６桁以下の場合には、スクロール表示を行なわず、静止表示を行なうようにしてもよい。
また、上述した各実施形態においては、制御部４０は、選択された表示情報の全文表示の際に、全文表示の文頭および文末にそれぞれ識別符号として「＊」を付加するようになっているが、これに限らず、文頭および文末を容易に把握することができるものであれば、他の識別符号を付加するようにしてもよい。
【００５２】
このようにして、本発明によれば、表示可能文字数より多い文字数の表示情報の全文を表示するようにしたＬＣＤ表示器を提供することができる。
【産業上の利用可能性】
【００５３】
本発明は、ＬＣＤ表示器における情報表示の制御に関する発明であるため、ＬＣＤ表示器を搭載した機器や装置に利用可能である。
【図面の簡単な説明】
【００５４】
【図１】第一実施形態のＬＣＤ表示器の主要構成を示すブロック図である。
【図２】第一実施形態のＬＣＤ表示器における表示情報の表示動作を示すフローチャートである。
【図３】第一実施形態のＬＣＤ表示器による表示情報の全文表示の横スクロール表示を順次に示す概略図である。
【図４】第二実施形態のＬＣＤ表示器による表示情報の全文表示の縦スクロール表示を順次に示す概略図である。
【図５】第二実施形態のＬＣＤ表示器における表示情報の表示動作を示すフローチャートである。
【図６】第三実施形態のＬＣＤ表示器による方向キーの操作にもとづく表示情報の全文表示の横スクロール表示を順次に示す概略図である。
【図７】第三実施形態のＬＣＤ表示器における表示情報の表示動作を示すフローチャートである。
【図８】第四実施形態のＬＣＤ表示器による表示情報の全文表示の４倍角文字による横スクロール表示を順次に示す概略図である。
【図９】第四実施形態のＬＣＤ表示器における表示情報の表示動作を示すフローチャートである。
【符号の説明】
【００５５】
１０  ＬＣＤ表示器
２０  ＬＣＤ表示部（ＬＣＤ表示手段）
３０  駆動部（駆動手段）
４０  制御部（制御手段）
５０  操作部（操作手段）
５１，５２  方向キー
【図１】
2006126503.tif 000003
【図２】
2006126503.tif 000004
【図３】
2006126503.tif 000005
【図４】
2006126503.tif 000006
【図５】
2006126503.tif 000007
【図６】
2006126503.tif 000008
【図７】
2006126503.tif 000009
【図８】
2006126503.tif 000010
【図９】
2006126503.tif 000011